(57)【要約】【課題】電子回路カードが筐体に実装された状態で、イジェクタが意図しないオープン状態に移行することを防止でき、且つ取付けが容易な保護カバーを提供する。【解決手段】保護カバー１０の正面部分１１は、筐体にイジェクト可能に実装されるカード本体３０の前面板３１と平行方向に延びる長尺状のイジェクタ４０のレバー４１の正面の少なくとも一部を覆う。貫通部分１２は、正面部分１１からレバー４１、及びカード本体３０に形成された切欠き部３２に沿って挿入されるイジェクタ４０のアーム４３を挟んで、切欠き部３２を経由してアーム４３と平行に延びる。接触部分１３は、貫通部分１２から、この貫通部分１２と直交方向に且つレバー４１と平行方向に延びて、カード本体３０の前面板３１の裏面に接触する。また、接触部分１３の長さがカード本体３０の切欠き部３２よりも長く形成され、接触部分１３がカード本体３０の前面板３１の裏面に支持される。【選択図】図３
2011028567.tif 000002
【特許請求の範囲】
【請求項１】
筐体にイジェクト可能に実装されるカード本体と、該カード本体と前記筐体とを着脱可能に係止するイジェクタとを備える電子回路カードのための保護カバーであって、
前記イジェクタが、前記カード本体の前面板と平行方向に延びる長尺状のレバーと、該レバーの一方の端部から延長し、前記カード本体に軸支されると共に前記筐体に支持されて、前記筐体に対して前記レバー及びカード本体を回動可能に支持する回動支持部と、前記レバーの他方の端部に隣接し該レバーの延長方向と略直交方向に延び、前記カード本体に形成された切欠き部に沿って挿入されるアームとを備えており、
前記保護カバーは、前記レバーの正面の少なくとも一部を覆う正面部分と、該正面部分から前記レバー及びアームを挟んで前記レバーと直交方向に延び、前記切欠き部を経由して前記アームと平行に延びる一対の貫通部分と、該一対の貫通部分からそれぞれ、該貫通部分と直交方向に且つ前記レバーと平行方向に延びて、前記カード本体の前面板の裏面に接触する一対の接触部分とを備え、
前記接触部分の長さは、前記カード本体の切欠き部よりも長く形成され、前記接触部分が前記カード本体の前面板の裏面に支持されることにより、前記保護カバーの正面部分が前記レバーの正面に静止して支持される保護カバー。
【請求項２】
前記電子回路カードが、ＡＴＣＡ規格に適合又は準拠している電子回路カードである、請求項１に記載の保護カバー。
【請求項３】
筐体にイジェクト可能に実装されるカード本体と、該カード本体と前記筐体とを着脱可能に係止するイジェクタとを備える電子回路カードに保護カバーを取り付ける方法であって、
前記保護カバーに、前記カード本体の前面板と平行方向に延びる長尺状の前記イジェクタのレバーの正面の少なくとも一部を覆う正面部分と、該正面部分から前記レバー、及び、前記レバーの他方の端部に隣接し該レバーの延長方向と略直交方向に延び、前記カード本体に形成された切欠き部に沿って挿入される前記イジェクタのアームを挟んで前記レバーと直交方向に延び、前記切欠き部を経由して前記アームと平行に延びる一対の貫通部分と、該一対の貫通部分からそれぞれ、該貫通部分と直交方向に且つ前記レバーと平行方向に延びて、前記カード本体の前面板の裏面に接触する一対の接触部分とを形成し、
前記接触部分の長さを、前記カード本体の切欠き部よりも長く形成し、前記接触部分を前記カード本体の前面板の裏側に接触させて支持させることにより、前記保護カバーの正面部分を前記レバーの正面に静止して支持させる保護カバーの取付方法。
【発明の詳細な説明】
【技術分野】
【０００１】
本発明は、保護カバー及びその取付方法に関し、更に詳しくは、電子回路カードのための保護カバー及びその取付方法に関する。
【背景技術】
【０００２】
電子回路カードとしては、例えば、ＡＴＣＡ（Advanced Telecom Computing Architecture）規格に適合又は準拠したＡＴＣＡカード（ブレードともいう）が知られている。ＡＴＣＡ規格は、通信事業者向けコンピュータのハードウェア規格であり、例えば、筐体（シェルフ或いはシャーシ）の形状と、この筐体に抜き挿し可能に収納されるＡＴＣＡカードのハードウェア仕様を規定している。
【０００３】
ＡＴＣＡカードは、通信システムの基幹ネットワークで用いられており、筐体内でのノイズ放射や気流の乱れを抑えるように、筐体内で隙間なく連続的に実装されている。ＡＴＣＡカードには、カード本体だけでなく、カード本体と筐体とを着脱可能に係止するイジェクタを備えるものがある。イジェクタに作業者の指等で荷重をかけると、オープン状態に移行する。このような構造では、作業中、作業者の指等が触れるだけで、作業者の意図に反してイジェクタがオープン状態に移行する場合があり得る。
【０００４】
例えば、ＡＴＣＡカードを交換する場合に、交換対象のＡＴＣＡカードに隣接する他のＡＴＣＡカードのイジェクタに作業者の指等が誤って触れてしまうと、イジェクタがオープンしてしまう。そして、隣接する他のＡＴＣＡカードのイジェクタがオープンすると、そのＡＴＣＡカードがＨｏｔｓｗａｐ状態に遷移し、筐体の電源を入れたまま筐体から抜くことができるように機能を停止してしまう。その結果、通信サービスに重大な影響を及ぼすことがある。
【０００５】
また、ＡＴＣＡカードが、ＨＤＤ（Hard Disk Drive）を搭載したＳＢＣ（Single Board Computer）である場合を想定する。この場合では、例えば筐体内に実装された状態でＳＢＣのヘッダ（ヘッド）がＨＤＤのディスクにアクセスしている最中に、イジェクタが不意に異常手順でオープンすると、ディスク面を傷つけてしまい、故障する可能性がある。
【０００６】
上記イジェクタが意図しないオープン状態に移行することを防止するために、特許文献１，２に記載の技術が知られている。特許文献１には、筐体に収容される電子回路パッケージに、引掛け金具を取り付け、この引掛け金具がカードイジェクタの操作部に引っ掛り、カードイジェクタの回転を抑止することで、電子回路パッケージの抜けを防止する技術が記載されている。
【０００７】
特許文献２には、ノートパソコンで、ＰＣＭＣＩＡカードを収容するカード挿入部に、着脱自在な係止片を設け、イジェクトボタンの操作に係わらず、カードの取り出しを係止片によって規制する技術が記載されている。
【先行技術文献】
【特許文献】
【０００８】
【特許文献１】実開平０３−００１４９２号公報
【特許文献２】特開平０７−０４４２６９号公報
【発明の概要】
【発明が解決しようとする課題】
【０００９】
特許文献１に記載の技術では、電子回路パッケージを加工して、カード基板に抜け防止用の引掛け金具を取付ける。このため、既に出荷され稼動中の電子回路パッケージに対して引掛け金具を取付けることは困難である。
【００１０】
特許文献２に記載の技術では、ノートパソコンのキーボードの下側に係止片が取付けられており、係止片の取付けを容易に行うことができない。また、キーボードの下側に位置する筐体に係止片を取付けるための加工を施す必要もある。
【００１１】
本発明は、電子回路カードが筐体に実装された状態で、イジェクタが意図しないオープン状態に移行することを防止でき、且つ取付けが容易な保護カバー及びその取付方法を提供することを目的とする。
【課題を解決するための手段】
【００１２】
上記目的を達成するために、本発明は、筐体にイジェクト可能に実装されるカード本体と、該カード本体と前記筐体とを着脱可能に係止するイジェクタとを備える電子回路カードのための保護カバーであって、
前記イジェクタが、前記カード本体の前面板と平行方向に延びる長尺状のレバーと、該レバーの一方の端部から延長し、前記カード本体に軸支されると共に前記筐体に支持されて、前記筐体に対して前記レバー及びカード本体を回動可能に支持する回動支持部と、前記レバーの他方の端部に隣接し該レバーの延長方向と略直交方向に延び、前記カード本体に形成された切欠き部に沿って挿入されるアームとを備えており、
前記保護カバーは、前記レバーの正面の少なくとも一部を覆う正面部分と、該正面部分から前記レバー及びアームを挟んで前記レバーと直交方向に延び、前記切欠き部を経由して前記アームと平行に延びる一対の貫通部分と、該一対の貫通部分からそれぞれ、該貫通部分と直交方向に且つ前記レバーと平行方向に延びて、前記カード本体の前面板の裏面に接触する一対の接触部分とを備え、
前記接触部分の長さは、前記カード本体の切欠き部よりも長く形成され、前記接触部分が前記カード本体の前面板の裏面に支持されることにより、前記保護カバーの正面部分が前記レバーの正面に静止して支持される保護カバーを提供する。
【００１３】
また、本発明は、筐体にイジェクト可能に実装されるカード本体と、該カード本体と前記筐体とを着脱可能に係止するイジェクタとを備える電子回路カードに保護カバーを取り付ける方法であって、
前記保護カバーに、前記カード本体の前面板と平行方向に延びる長尺状の前記イジェクタのレバーの正面の少なくとも一部を覆う正面部分と、該正面部分から前記レバー、及び、前記レバーの他方の端部に隣接し該レバーの延長方向と略直交方向に延び、前記カード本体に形成された切欠き部に沿って挿入される前記イジェクタのアームを挟んで前記レバーと直交方向に延び、前記切欠き部を経由して前記アームと平行に延びる一対の貫通部分と、該一対の貫通部分からそれぞれ、該貫通部分と直交方向に且つ前記レバーと平行方向に延びて、前記カード本体の前面板の裏面に接触する一対の接触部分とを形成し、
前記接触部分の長さを、前記カード本体の切欠き部よりも長く形成し、前記接触部分を前記カード本体の前面板の裏側に接触させて支持させることにより、前記保護カバーの正面部分を前記レバーの正面に静止して支持させる保護カバーの取付方法を提供する。
【発明の効果】
【００１４】
本発明の保護カバー及びその取付方法では、電子回路カードが筐体に実装された状態で、イジェクタが意図しないオープン状態に移行することを防止でき、且つ、電子回路カードに容易に取付け可能な保護カバーを提供できる。
【図面の簡単な説明】
【００１５】
【図１】（ａ）及び（ｂ）は、本発明の実施形態に係る保護カバーの構成を示す図。
【図２】（ａ）及び（ｂ）は、電子回路カードの構成を示す図。
【図３】（ａ）及び（ｂ）は、電子回路カードに保護カバーを取付けた状態を示す図。
【図４】（ａ）〜（ｃ）は、電子回路カードに保護カバーを取付ける方法を示す図。
【発明を実施するための形態】
【００１６】
本発明の保護カバーは、筐体にイジェクト可能に実装されるカード本体と、このカード本体と筐体とを着脱可能に係止するイジェクタとを備える電子回路カードのための保護カバーであり、最小構成として、正面部分と、一対の貫通部分と、一対の接触部分とを備える。
【００１７】
イジェクタは、レバーと、回動支持部と、アームとを備える。レバーは、カード本体の前面板と平行方向に延びる長尺状である。回動支持部は、レバーの一方の端部から延長し、カード本体に軸支されると共に筐体に支持されて、筐体に対してレバー及びカード本体を回動可能に支持する。アームは、レバーの他方の端部に隣接しこのレバーの延長方向と略直交方向に延び、カード本体に形成された切欠き部に沿って挿入される。
【００１８】
保護カバーの正面部分は、レバーの正面の少なくとも一部を覆う。一対の貫通部分は、正面部分からレバー及びアームを挟んでレバーと直交方向に延び、切欠き部を経由してアームと平行に延びる。一対の接触部分は、一対の貫通部分からそれぞれ、この貫通部分と直交方向に且つレバーと平行方向に延びて、カード本体の前面板の裏面に接触する。また、接触部分の長さは、カード本体の切欠き部よりも長く形成され、接触部分がカード本体の前面板の裏面に支持されることにより、保護カバーの正面部分がレバーの正面に静止して支持される。
【００１９】
上記保護カバーでは、いわゆるＡＴＣＡ規格に適合又は準拠した電子回路カードに対して、正面部分が、レバーの正面の少なくとも一部を覆っている。また、一対の貫通部分が、正面部分からレバー及びアームを挟んでレバーと直交方向に延び、切欠き部を経由してアームと平行に延びている。さらに、一対の接触部分が、一対の貫通部分からそれぞれ、この貫通部分と直交方向に且つレバーと平行方向に延びて、カード本体の前面板の裏面に接触しており、また、接触部分の長さが、カード本体の切欠き部よりも長く形成され、接触部分がカード本体の前面板の裏面に支持される。従って、保護カバーの正面部分がレバーの正面に静止して支持されることになり、例えば、イジェクタに作業者の指等が不意に接触した場合であっても、イジェクタが意図しないオープン状態に移行することを防止できる。また、保護カバーの一対の接触部分を、イジェクタを挟んでカード本体の前面板の裏面に接触させることで、電子回路カードに保護カバーを容易に取付けることができる。
【００２０】
以下、図面を参照し、本発明の例示的な実施の形態について詳細に説明する。図１（ａ）及び（ｂ）は、本発明の実施形態に係る保護カバーの構成を示す図である。図２は、電子回路カードの構成を示す図であり、図２（ａ）は電子回路カードの側面を示し、図２（ｂ）は電子回路カードの前面を示している。保護カバー１０は、通信事業者向けコンピュータのハードウェア規格であるＡＴＣＡ規格に適合又は準拠している電子回路カード２０に、別体として取付けられる部材である。保護カバー１０は、例えば、正面部分１１と、一対の貫通部分１２と、一対の接触部分１３とを備える。また、保護カバー１０の材質は、例えば、金属、硬質プラスチック等が挙げられるが、形状劣化し難い材質であれば、特に限定されない。
【００２１】
電子回路カード２０は、図示しない筐体にイジェクト可能に実装されるカード本体３０と、カード本体３０と筐体とを着脱可能に係止するイジェクタ４０とを有する。カード本体３０は、例えば、前面板３１と、カード本体３０の側面に形成された切欠き部３２，３３と、回転軸３４とを有する。なお、図２（ａ）では、カード本体３０については前面板３１のみを示しており、側面は省略している。
【００２２】
イジェクタ４０は、図２（ａ）に示すように、レバー４１と、回動支持部４２と、アーム４３とを備える。レバー４１は、カード本体３０の前面板３１と平行方向に延びる長尺状を有しており、その端部４１ａが作業者によって把持される。回動支持部４２は、レバー４１の端部４１ｂから切欠き部３３を経てカード本体３０の側面に沿って延長し、カード本体３０の側面に取付けられた回転軸３４により軸支される。また、回動支持部４２は、図２（ａ）に示すように、レバー４１の端部４１ｂから下方に突出した突出部４４を有している。
【００２３】
アーム４３は、レバー４１の端部４１ａに隣接し、レバー４１の延長方向と略直交方向に延びて、カード本体３０の側面に形成された切欠き部３２に沿って挿入されている。また、アーム４３の先端側には、カード本体３０を含む電子回路カード２０が、筐体に確実に実装されているか否かを検知する検知部４５が設けられている。
【００２４】
ここで、電子回路カード２０が筐体に実装されているときの各部材の配置関係について説明する。まず、筐体は、電子回路カード２０と同様にＡＴＣＡ規格に適合又は準拠しており、複数の電子回路カード２０を隣接して収容するための開口部を前面に有している。開口部の下方には、電子回路カード２０が筐体内で隣接する方向に亘って板状部材が配置されている。電子回路カード２０が筐体に実装されている状態で、上記板状部材は、カード本体３０の前面板３１と、イジェクタ４０の回動支持部４２の突出部４４との間に位置している。このため、作業者が、レバー４１の端部４１ａを、カード本体３０の前面板３１から離隔する方向（図２（ａ）中、右方向）に動かすと、回動支持部４２の突出部４４が回転軸３４の軸周り（時計回り）に移動し、筐体の上記板状部材に当接する。
【００２５】
回動支持部４２の突出部４４と筐体の上記板状部材とが当接すると、イジェクタ４０はオープン状態となり、アーム４３の検知部４５が、電子回路カード２０がイジェクトされる状態になったことを検知する。イジェクタ４０がオープン状態になると、電子回路カード２０は、Ｈｏｔｓｗａｐ（M1 state）状態に遷移し、筐体の電源が入ったままで筐体からイジェクトできるように各機能（サービス）を停止する。
【００２６】
更に続いて、レバー４１の端部４１ａを押下げると、板状部材と回動支持部４２の突出部４４とが当接している箇所を支点として、カード本体３０が板状部材を乗り越えて、筐体の開口部から筐体外部にイジェクトされる。つまり、イジェクタ４０の回動支持部４２は、カード本体３０の側面に取付けられた回転軸３４により軸支されると共に、筐体に支持されて、筐体に対してレバー４１及びカード本体３０を回動可能に支持している。
【００２７】
このようなイジェクタ４０では、作業者の指等がレバー４１に不意に接触してしまうと、作業者の意図に反してイジェクタ４０がオープン状態となる場合がある。この場合には、電子回路カード２０がＨｏｔｓｗａｐ状態に遷移して、各機能を停止することで、通信サービスに影響が生じる虞がある。そこで、本実施形態では、図１に示した保護カバー１０を電子回路カード２０に取付けることで、イジェクタ４０が容易にオープン状態となることを回避する。
【００２８】
以下、図３を参照して、保護カバー１０が電子回路カード２０に取付けられた状態について説明する。保護カバー１０の正面部分１１は、図３（ｂ）に示すように、レバー４１の正面の少なくとも一部を覆っている。また、一対の貫通部分１２は、図３（ａ）に示すように、正面部分１１からレバー４１及びアーム４３を挟んでレバー４１と直交方向に延び、切欠き部３２を経由してアーム４３と平行に延びている。
【００２９】
一対の接触部分１３は、図３（ａ）に示すように、一対の貫通部分１２からそれぞれ、この貫通部分１２と直交方向に且つレバー４１と平行方向に延びて、カード本体３０の前面板３１の裏面に接触している。また、接触部分１３の長さは、図３（ａ）に示すように、カード本体３０の切欠き部３２よりも長く形成され、接触部分１３がカード本体３０の前面板３１の裏面に支持されている。このため、保護カバー１０の正面部分１１が、図３（ｂ）に示すように、レバー４１の正面に静止して支持されている。
【００３０】
続いて、図４を参照して、保護カバー１０を電子回路カード２０に取付ける方法について説明する。まず、図４（ａ）に示すように、正面部分１１でレバー４１の正面の少なくとも一部を覆い、一対の貫通部分１２でレバー４１を挟んだ状態で、一対の接触部分１３の長い方の端部１３ａを、カード本体３０の切欠き部３２で形成された隙間に挿入するように、一対の貫通部分１２を隙間に対して斜め下の方向（図中、矢印Ａ）から押し付ける。
【００３１】
次いで、図４（ｂ）に示すように、一対の接触部分１３の短い方の端部１３ｂを、切欠き部３２で形成された上記隙間に挿入するように、例えば一対の貫通部分１２を斜め上の方向（図中、矢印Ｂ）から押し付ける。この状態では、一対の接触部分１３の長い方の端部１３ａは、カード本体３０の前面板３１の裏面に接触しているが、短い方の端部１３ｂは接触していない。そこで、最後に図４（ｃ）に示すように、一対の接触部分１３の両端１３ａ，１３ｂが上記隙間に挿入された状態で、保護カバー１０全体を下方（図中、矢印Ｃ）に押下げて、一対の接触部分１３の両端１３ａ，１３ｂをカード本体３０の前面板３１の裏面に接触させる。
【００３２】
このようにして、保護カバー１０では、一対の接触部分１３の両端１３ａ，１３ｂがカード本体３０の前面板３１の裏面に引っ掛かり、且つ、正面部分１１がレバー４１の表面に静止して支持される。従って、保護カバー１０を電子回路カード２０に取り付けることで、例えば、イジェクタ４０のレバー４１に作業者の指等が不意に接触した場合であっても、イジェクタ４０が意図しないオープン状態となることを防止できる。また、カード本体３０の切欠き部３２で形成される隙間が保護カバー１０により埋められるので、イジェクタ４０の左右のぐらつきも軽減できる。
【００３３】
さらに、保護カバー１０は、イジェクタ４０を挟んでカード本体３０の前面板３１の裏面に、一対の接触部分１３を接触させるだけで、電子回路カード２０に容易に取り付けることができる。また、保護カバー１０を電子回路カード２０に取付ける際に、ドライバー等の工具を用いる必要がないので、作業性が損なわれない。
【００３４】
次に、保護カバー１０を電子回路カード２０から取り外す方法について説明する。保護カバー１０を電子回路カード２０から取り外す場合には、図４に示す工程を逆の順序で行えばよい。まず、図４（ｃ）に示す工程とは逆に、一対の接触部分１３の短い方の端部１３ｂが、カード本体３０の前面板３１の裏面と接触しないように、保護カバー１０を上方にスライドして、図４（ｂ）に示す状態とする。次に、図４（ｂ）に示す工程とは逆に、一対の接触部分１３の短い方の端部１３ｂを、切欠き部３２で形成される隙間から抜くように、一対の貫通部分１２を斜め上方に引っ張り、図４（ａ）に示す状態とする。最後に、図４（ａ）に示す工程とは逆に、一対の貫通部分１２を斜め下方に引っ張り、一対の接触部分１３の長い方の端部１３ａを上記隙間から抜く。このようにして、保護カバー１０を電子回路カード２０から取り外すことができる。従って、保護カバー１０は、電子回路カード２０から取り外す際にも、ドライバー等の工具を用いる必要がなく作業を簡易に行うことができる。
【００３５】
また、上記実施形態では、イジェクタ４０がオープン状態になることで、電子回路カード２０がＨｏｔｓｗａｐ状態に遷移することを例示したが、これに限らず、ＣＭＭ（Chassis Management Module）から対象となる電子回路カード２０に対してコマンド指示を行うことで、Ｈｏｔｓｗａｐ状態に遷移させる場合もあり得る。
【００３６】
以上、本発明をその好適な実施形態に基づいて説明したが、本発明の保護カバー及びその取付方法は、上記実施形態の構成にのみ限定されるものではなく、上記実施形態の構成から種々の修正及び変更を施したものも、本発明の範囲に含まれる。
【符号の説明】
【００３７】
１０：保護カバー
１１：正面部分
１２：貫通部分
１３：接触部分
２０：電子回路カード
３０：カード本体
３１：前面板
３２，３３：切欠き部
３４：回転軸
４０：イジェクタ
４１：レバー
４２：回動支持部
４３：アーム
４４：突出部
４５：検知部
【図１】
2011028567.tif 000003
【図２】
2011028567.tif 000004
【図３】
2011028567.tif 000005
【図４】
2011028567.tif 000006